(57)【要約】【課題】スリーブを固定可能に位置決めし、かつスリーブを回転自在とする。【解決手段】スリーブブラケットアッセンブリはフレーム１０及び複数の第１のスリーブマウント２１を有する。フレームは溝１３３を有する第１のスリーブトラック１３を有する。各々の第１のスリーブマウントは基部２１１及び基部の頂部表面から突出し、伸縮自在の突出部２１２３又はフランジを有する中空の位置決めボタン２１２を有する。各々の第１のスリーブマウントの基部又は位置決めボタンの断面は円形であり、そのためスリーブは回転できる。突出部及びフランジはスリーブを固定可能に位置決めできる。したがって、スリーブブラケットアッセンブリはスリーブを堅固に位置決めし、かつスリーブを回転自在とすることができる。【選択図】図２
2014083634.tif 000002
【特許請求の範囲】
【請求項１】
アルミニウム製のフレームを備え、前記フレームは、
長伸のバックプレートを有し、前記バックプレートは、
頂部、
前記バックプレートの前記頂部に対向する底部、
２つの対向端、
長さ、
側部表面、及び
前記頂部近傍及びそれぞれ前記バックプレートの前記対向端近傍を貫通して形成される２つの取付け穴を有し、前記フレームは、
前記バックプレートの側部表面に一体的に形成され、頂部表面を有するブラケットユニット、及び
前記ブラケットユニットの頂部表面に形成され、そこから突出し、前記バックプレートの延長線に平行な線に沿って延長する直線状の第１のスリーブトラックを有し、前記第１のスリーブトラックは、
２つの対向端縁を有する方形の頂部表面、
前記第１のスリーブトラックの頂部表面の端縁にそれぞれ形成され、各バーが他のバーの屈曲頂部に対向する屈曲頂部を有する２つのバー、及び
前記第１のスリーブトラックの頂部表面及び前記バー間に形成される溝を有し、
前記第１のスリーブトラックに取外し自在に結合される複数の第１のスリーブマウントを有する第１のマウント装置を備え、各々の第１のスリーブマウントは、
前記第１のスリーブトラック内で摺動自在、回転自在に取付けられ、頂部表面及び円形断面を有する基部、及び
前記基部の頂部表面上に形成され、そこから突出する中空の位置決めボタンを有し、前記位置決めボタンは、
方形断面、
側部表面、
それぞれ前記位置決めボタンの側部表面を貫通して形成される２つの長伸の開孔、
前記位置決めボタンの開孔間に形成され、中央部分を有する弾性区域、及び
前記弾性区域の中央部分上に形成され、そこから外方に突出している突出部を有することを特徴とするスリーブブラケットアッセンブリ。
【請求項２】
前記フレームは、前記第１のスリーブトラックに平行な直線状の第２のスリーブトラックを有し、前記第１のスリーブトラックは前記第２のスリーブトラック及び前記バックプレート間に配置され、
前記スリーブブラケットアッセンブリは、前記第２のスリーブトラックに結合され、複数の位置決めボタンを有する第２のマウント装置を有し、
前記第１のスリーブトラックの幅は前記第２のスリーブトラックの幅より長く、
前記第１のマウント装置の位置決めボタンは同一寸法を有し、前記第２のマウント装置の位置決めボタンは同一寸法を有し、
前記第１のマウント装置の各位置決めボタンの寸法は前記第２のマウント装置の各位置決めボタンの寸法よりより大きく、前記ブラケットユニットは、
前記バックプレートの側部表面に一体的に形成される長伸の第１のブラケットを有し、前記第１のブラケットは、
頂部表面、
前記バックプレートと同長の長さ、
前記バックプレートの側部表面に一体的に結合される組み込み区域、及び
前記組み込み区域に対向するＬ字状の結合側部区域を有し、前記ブラケットユニットは、
前記第１のブラケットの結合側部区域に固定可能に結合される長伸の第２のブラケットを有し、前記第２のブラケットは、
頂部表面、
前記バックプレートと同長の長さ、及び
前記第１のブラケットの結合側部区域に当接するＬ字状の取付け側部区域を有し、前記ブラケットユニットは、
複数の固定部材を有し、各固定部材は前記結合側部区域及び前記取付け側部区域を貫通して取付けられ、ボルト及びこのボルトに結合されるナットを有することを特徴とする請求項１記載のスリーブブラケットアッセンブリ。
【請求項３】
アルミニウム製のフレームを備え、前記フレームは、
長伸のバックプレートを有し、前記バックプレートは、
頂部、
前記バックプレートの前記頂部に対向する底部、
２つの対向端、
長さ、
側部表面、及び
前記頂部近傍及びそれぞれ前記バックプレートの前記対向端近傍を貫通して形成される２つの取付け穴を有し、前記フレームは、
前記バックプレートの側部表面に一体的に形成され、頂部表面を有するブラケットユニット、及び
前記ブラケットユニットの頂部表面に形成され、そこから突出し、前記バックプレートの延長線に平行な線に沿って延長する直線状の第１のスリーブトラックを有し、前記第１のスリーブトラックは、
２つの対向端縁を有する方形の頂部表面、
前記第１のスリーブトラックの頂部表面の端縁にそれぞれ形成され、各バーが他のバーの屈曲頂部に対向する屈曲頂部を有する２つのバー、及び
前記第１のスリーブトラックの頂部表面及び前記バー間に形成される溝を有し、
前記第１のスリーブトラックに取外し自在に結合される複数の第１のスリーブマウントを有する第１のマウント装置を備え、各々の第１のスリーブマウントは、
前記第１のスリーブトラック内で摺動自在に取付けられ、頂部表面及び方形断面を有する基部、及び
前記基部の頂部表面上に形成され、そこから突出する中空の位置決めボタンを有し、前記位置決めボタンは、
円形断面、
２つの対向側部、
それぞれ前記位置決めボタンの対向側部を貫通して形成される２つの長伸の開孔、及び
前記位置決めボタンから径方向に突出しているフランジを有することを特徴とするスリーブブラケットアッセンブリ。
【請求項４】
前記フレームは、前記第１のスリーブトラックに平行な直線状の第２のスリーブトラックを有し、前記第１のスリーブトラックは前記第２のスリーブトラック及び前記バックプレート間に配置され、
前記スリーブブラケットアッセンブリは、前記第２のスリーブトラックに結合され、複数の位置決めボタンを有する第２のマウント装置を有し、
前記第１のスリーブトラックの幅は前記第２のスリーブトラックの幅より長く、
前記第１のマウント装置の位置決めボタンは同一寸法を有し、前記第２のマウント装置の位置決めボタンは同一寸法を有し、
前記第１のマウント装置の各位置決めボタンの寸法は前記第２のマウント装置の各位置決めボタンの寸法よりより大きく、前記ブラケットユニットは、
前記バックプレートの側部表面に一体的に形成される長伸の第１のブラケットを有し、前記第１のブラケットは、
頂部表面、
前記バックプレートと同長の長さ、
前記バックプレートの側部表面に一体的に結合される組み込み区域、及び
前記組み込み区域に対向するＬ字状の結合側部区域を有し、前記ブラケットユニットは、
前記第１のブラケットの結合側部区域に固定可能に結合される長伸の第２のブラケットを有し、前記第２のブラケットは、
頂部表面、
前記バックプレートと同長の長さ、及び
前記第１のブラケットの結合側部区域に当接するＬ字状の取付け側部区域を有し、前記ブラケットユニットは、
複数の固定部材を有し、各固定部材は前記結合側部区域及び前記取付け側部区域を貫通して取付けられ、ボルト及びこのボルトに結合されるナットを有することを特徴とする請求項３記載のスリーブブラケットアッセンブリ。
【発明の詳細な説明】
【技術分野】
【０００１】
本発明はスリーブブラケットアッセンブリに係り、特にスリーブを固定可能に位置決めし、かつスリーブを回転自在とするスリーブブラケットアッセンブリに関する。
【背景技術】
【０００２】
慣用のスリーブブラケットアッセンブリはフレーム及びマウント装置を有する。マウント装置はフレームに結合された複数のスリーブマウントを有する。各スリーブマウントは方形の基部及び円形のボタンを有する。各ボタンは基部の頂部表面から突出し、スリーブに挿入できる。各ボタンは円形であるので、スリーブは回転でき、スリーブの番号又は記号をユーザに対向させることができる。
【０００３】
慣用のスリーブブラケットアッセンブリのもう１つのスリーブマウントは方形の基部及び方形のボタンを有する。各ボタンはスリーブの内面の凹部に当接するために使用される格納可能の突出部を有する。したがって、スリーブは堅固に位置決めできる（例えば、特許文献１−３参照）。
【先行技術文献】
【特許文献】
【０００４】
【特許文献１】特開２０１２−１４８３５３号公報
【特許文献２】特開２０１２−１４８３６４号公報
【特許文献３】特開２０１２−１５２８４２号公報
【発明の概要】
【発明が解決しようとする課題】
【０００５】
しかしながら、慣用のスリーブブラケットアッセンブリにおいて、各ボタンは位置決め構造を欠いており、かつスリーブを固定可能に保持できない。スリーブはボタンから容易に抜け落ちてしまう。
【０００６】
慣用のスリーブブラケットアッセンブリのもう１つのスリーブマウントは方形の基部及び方形のボタンを有し、各ボタンはスリーブの内面の凹部に当接するために使用される格納可能の突出部を有するので、スリーブは堅固に位置決めできるが、ボタンは方形であり、スリーブを回転自在とすることができない。
【０００７】
しかも、慣用のスリーブブラケットアッセンブリは若干異なる寸法を有する１組のスリーブを単に展示できるだけである。追加のスリーブブラケットアッセンブリがさらに１組のスリーブを受け入れるために必要とされる。例えば、３つのスリーブブラケットアッセンブリが総ての寸法をもつ全組のスリーブを受け入れるために必要とされる。
【０００８】
しかしながら、新たなスリーブブラケットアッセンブリを購入することは購入費用が嵩むし、複数のスリーブブラケットアッセンブリを持ち運ぶことは不便である。
【０００９】
これらの欠点を解消するために、本発明は上述の問題点を軽減するスリーブブラケットアッセンブリを提供せんとするものである。
【００１０】
本発明の主目的はスリーブを固定可能に位置決めし、かつスリーブを回転自在とするスリーブブラケットアッセンブリを提供するものである。
【課題を解決するための手段】
【００１１】
本発明にしたがうスリーブブラケットアッセンブリは、フレーム及び複数の第１のスリーブマウントを有する。フレームは溝を有する第１のスリーブトラックを有する。各々の第１のスリーブマウントは基部及び中空の位置決めボタンを有する。位置決めボタンは基部の頂部表面から突出し、伸縮自在の突出部又はフランジを有する。各々の第１のスリーブマウントの基部又は位置決めボタンの断面は円形であり、そのためスリーブは回転できる。突出部及びフランジはスリーブを固定可能に位置決めできる。
【００１２】
したがって、スリーブブラケットアッセンブリはスリーブを堅固に位置決めし、かつスリーブを回転自在とすることができる。
【００１３】
本発明の他の目的、利点及び新規な特徴は以下の詳細な説明から図面と併せて更に明らかとなる。
【発明の効果】
【００１４】
本発明のスリーブブラケットアッセンブリによれば、以下の作用効果が得られる。
【００１５】
スリーブの固定可能な位置決め及び回転機能：
基部又は位置決めボタンの断面は円形であり、そのためスリーブは回転できる。突出部及びフランジはスリーブを固定可能に位置決めできる。したがって、本発明にしたがうスリーブブラケットアッセンブリはスリーブを堅固に位置決めでき、かつスリーブを回転自在とすることができる。
【００１６】
費用軽減：
本発明にしたがうスリーブブラケットアッセンブリは同時に異なる数組のスリーブを展示することができ、追加のスリーブブラケットアッセンブリは不要である。したがって、ユーザは新たなスリーブブラケットアッセンブリを購入することは不要であって１つのスリーブブラケットアッセンブリを持ち運ぶことから便利である。
【００１７】
優れた汎用性：
ユーザは、第２のブラケットの取付け側部区域が固定部材によって第１のブラケットの結合側部区域及び取付け側部区域と結合されているか否かについて選択できる。したがって、スリーブブラケットアッセンブリの様式はユーザの必要性に応じて変更でき、このことは汎用性があって便利である。
【図面の簡単な説明】
【００１８】
【図１】本発明にしたがうスリーブブラケットアッセンブリの第１の実施例の拡大断面側面図である。
【図２】図１におけるスリーブブラケットアッセンブリの部分分解斜視図である。
【図３】図１におけるスリーブブラケットアッセンブリの拡大動作斜視図である。
【図４】図１におけるスリーブブラケットアッセンブリの斜視図である。
【図５】本発明にしたがうスリーブブラケットアッセンブリの第２の実施例の拡大断面側面図である。
【図６】図５におけるスリーブブラケットアッセンブリの部分分解斜視図である。
【図７】図５におけるスリーブブラケットアッセンブリの部分断面拡大斜視図である。
【図８】本発明にしたがうスリーブブラケットアッセンブリの第３の実施例の部分断面拡大側面図である。
【図９】図８におけるスリーブブラケットアッセンブリのフレームの部分分解斜視図である。
【図１０】図８におけるスリーブブラケットアッセンブリの部分分解斜視図である。
【図１１】図８におけるスリーブブラケットアッセンブリの部分断面拡大動作図である。
【図１２】図８におけるスリーブブラケットアッセンブリの斜視図である。
【図１３】本発明にしたがうスリーブブラケットアッセンブリの第４の実施例の部分断面拡大側面図である。
【図１４】図１３におけるスリーブブラケットアッセンブリの部分分解斜視図である。
【図１５】図１３におけるスリーブブラケットアッセンブリの部分断面拡大斜視図である。
【発明を実施するための形態】
【００１９】
以下、本発明のスリーブブラケットアッセンブリを実施の形態例について図面に基づき説明する。
【００２０】
図１−図４を参照すると、本発明にしたがうスリーブブラケットアッセンブリの第１の実施例はフレーム１０及び第１のマウント（取付け）装置２０を備えている。
【００２１】
フレーム１０はアルミニウム製であり、バックプレート１１、ブラケットユニット１２及び第１のスリーブトラック１３を有する。
【００２２】
バックプレート１１は長く伸びており、頂部、底部、２つの対向端、長さ、側部表面及び２つのマウント（取付け）穴１１１を有する。バックプレート１１の底部はバックプレート１１の頂部と対向している。マウント（取付け）穴１１１はバックプレート１１の頂部の近傍及びそれぞれ対向端の近傍を貫通して形成される。フレーム１０はマウント（取付け）穴１１１によって平坦面に設置又は懸架することができる。
【００２３】
ブラケットユニット１２はバックプレート１１の側部表面に一体的に形成され、頂部表面及び長さを有する。ブラケットユニット１２の長さはバックプレート１１の長さと同長である。
【００２４】
第１のスリーブトラック１３は直線状であり、ブラケットユニット１２の頂部表面から突出し、バックプレート１１の延長線に平行な線に沿って延長し、かつ頂部表面１３１、２つのバー１３２及び溝１３３を有する。第１のスリーブトラック１３の頂部表面１３１は方形であり、２つの対向端縁を有する。バー１３２は第１のスリーブトラック１３の頂部表面１３１の端縁にそれぞれ形成される。各バー１３２は他のバー１３２の屈曲頂部に対向する屈曲頂部を有する。溝１３３は第１のスリーブトラック１３の頂部表面１３１及びバー１３２間に形成される。
【００２５】
第１のマウント（取付け）装置２０は複数の第１のスリーブマウント２１を有する。第１のスリーブマウント２１は第１のスリーブトラック１３に取外し自在に結合される。各々の第１のスリーブマウント２１は基部２１１及び位置決めボタン２１２を有する。各々の第１のスリーブマウント２１の基部２１１は溝１３３内で摺動自在、回転自在に取付けられ、頂部表面及び円形断面を有する。各々のスリーブマウント２１の位置決めボタン２１２は中空で、基部２１１の頂部表面上に形成され、かつ基部２１１の頂部表面から突出し、方形断面、側部表面、２つの開孔２１２１、弾性区域２１２２及び突出部２１２３を有する。各々の第１のスリーブマウント２１の開孔２１２１はそれぞれ位置決めボタン２１２の側部表面を貫通して形成される。各々の第１のスリーブマウント２１の弾性区域２１２２は位置決めボタン２１２の開孔２１２１間に形成され、中央部分を有する。各々の第１のスリーブマウント２１の突出部２１２３は第１のスリーブマウント２１の弾性区域２１２２の中央部分上に形成され、第１のスリーブマウント２１の弾性区域２１２２の中央部分から外方に突出している。好ましくは、第１のマウント（取付け）装置２０の位置決めボタン２１２は同一寸法を有する。
【００２６】
図１−図３を参照すると、複数のスリーブＳはそれぞれ位置決めボタン２１２の周りに取外し自在に取付けられる。スリーブＳは、基部２１１が円形であり、溝１３３に回転自在に取付けられているので回転可能である。したがって、各スリーブＳの番号又は記号はユーザに対向するように回転可能である。各スリーブＳが位置決めボタン２１２によって挿入されるとき、弾性区域２１２２はスリーブＳの内面によって内方に屈曲される。よって、弾性区域２１２２は復旧し、突出部２１２３はスリーブＳの内面の凹部に埋め込まれてスリーブＳを位置決めする。したがって、本発明にしたがうスリーブブラケットアッセンブリはスリーブＳを固定可能に位置決めし、スリーブＳを回転自在とする。
【００２７】
図５−図７を参照すると、スリーブブラケットアッセンブリの第２の実施例は、以下の特徴を除いて、第１の実施例と実質的に同一である。
【００２８】
各々の第１のスリーブマウント２１Ａの基部２１１Ａは方形断面を有し、溝１３３Ａ内で摺動自在に取付けられる。したがって、基部２１１Ａは溝１３３Ａ内で回転不可能とされている。
【００２９】
各々の第１のスリーブマウント２１Ａの位置決めボタン２１２Ａは円形断面、２つの対向側面部、２つの開孔２１２４Ａ及び環状フランジ２１２５Ａを有する。各位置決めボタン２１２Ａの開孔２１２４Ａは長く伸びており、それぞれ位置決めボタン２１２Ａの対向側面部を貫通して形成される。各位置決めボタン２１２Ａの環状フランジ２１２５Ａは位置決めボタン２１２Ａから径方向に突出している。各スリーブＳが位置決めボタン２１２Ａによって挿入されるとき、環状フランジ２１２５ＡはスリーブＳの内面によって内方に押圧される。よって、環状フランジ２１２５Ａは復旧し、スリーブＳの内面の凹部に当接して固定可能に位置決めする。
【００３０】
位置決めボタン２１２Ａの断面は円形であるので、第２の実施例でもスリーブＳを回転自在とすることができる。
【００３１】
図８−図１２を参照すると、スリーブブラケットアッセンブリの第３の実施例は、以下の特徴を除いて、第１の実施例と実質的に同一である。
【００３２】
ブラケットユニット１２Ｂは第１のブラケット１２１Ｂ、第２のブラケット１２２Ｂ及び複数の固定部材１２３Ｂを有する。第１のブラケット１２１Ｂは長く伸びており、バックプレート１１Ｂの側面部に一体的に形成され、頂部表面、長さ、組み込み区域及び結合側部区域１２１１Ｂを有する。第１のブラケット１２１Ｂの長さはバックプレート１１Ｂの長さと同長である。組み込み区域はバックプレート１１Ｂの側面部と一体的に結合される。結合側部区域１２１１ＢはＬ字状であり、組み込み区域に対向している。第１のスリーブトラック１３Ｂは第１のブラケット１２１Ｂの頂部表面上に形成され、第１のブラケット１２１Ｂの頂部表面から突出している。
【００３３】
第２のブラケット１２２Ｂは長く伸びており、第１のブラケット１２１Ｂの結合側部区域１２１１Ｂと固定可能に結合され、頂部表面、長さ及び取付け側部区域１２２１Ｂを有する。第２のブラケット１２２Ｂの長さはバックプレート１１Ｂの長さと同長である。取付け側部区域１２２１ＢはＬ字状であり、第１のブラケット１２１Ｂの結合側部区域１２１１Ｂに当接している。
【００３４】
各固定部材１２３Ｂは結合側部区域１２１１Ｂ及び取付け側部区域１２２１Ｂを貫通して取付けられ、ボルト及びこのボルトに結合されるナットを有する。
【００３５】
さらに、フレーム１０Ｂは直線状の第２のスリーブトラック１４Ｂ及び直線状の第３のスリーブトラック１５Ｂを有する。
【００３６】
第２のスリーブトラック１４Ｂは直線状であり、第２のブラケット１２２Ｂの頂部表面から突出し、第１のスリーブトラック１３Ｂと平行である。第１のスリーブトラック１３Ｂは第２のスリーブトラック１４Ｂ及びバックプレート１１Ｂ間に配置される。
【００３７】
第３のスリーブトラック１５Ｂは直線状であり、第２のブラケット１２２Ｂの頂部表面から突出し、第１のスリーブトラック１３Ｂと平行である。第２のスリーブトラック１４Ｂは第１のスリーブトラック１３Ｂ及び第３のスリーブトラック１５Ｂ間に配置される。第３のスリーブトラック１５Ｂ及び第２のスリーブトラック１４Ｂは第１のスリーブトラック１３Ｂと実質的に同一である。ただし、第１のスリーブトラック１３Ｂの幅は第２のスリーブトラック１４Ｂの幅より長く、第２のスリーブトラック１４Ｂの幅は第３のスリーブトラック１５Ｂの幅より長い。
【００３８】
さらに、スリーブブラケットアッセンブリは第２のスリーブトラック１４Ｂ及び第３のスリーブトラック１５Ｂにそれぞれ結合される第２のマウント（取付け）装置３０Ｂ及び第３のマウント（取付け）装置４０Ｂを有する。第２のマウント（取付け）装置３０Ｂ及び第３のマウント（取付け）装置４０Ｂは第１のマウント（取付け）装置２０Ｂと実質的に同一である。ただし、第１のマウント（取付け）装置２０Ｂの各位置決めボタン２１２Ｂの寸法は第２のマウント（取付け）装置３０Ｂの各位置決めボタン３１２Ｂの寸法より大きい。第２のマウント（取付け）装置３０Ｂの各位置決めボタン３１２Ｂの寸法は第３のマウント（取付け）装置４０Ｂの各位置決めボタン４１２Ｂの寸法より大きい。したがって、重いスリーブＳはバックプレート１１Ｂに近接して設置することができ、第２のブラケット１２２Ｂが破損することを回避する。
【００３９】
図１３−図１５を参照すると、スリーブブラケットアッセンブリの第４の実施例は第３の実施例と実質的に同一である。ただし、各基部２１１Ｃは方形断面を有し、各位置決めボタン２１２Ｃは２つの開孔２１２４Ｃ及び環状フランジ２１２５Ｃを有する。各位置決めボタン２１２Ｃの開孔２１２４Ｃは長く伸びており、位置決めボタン２１２Ｃの対向側面部を貫通して形成される。
【００４０】
第３及び第４の実施例において、ユーザは、第２のブラケット１２２Ｂの取付け側部区域１２２１Ｂ、１２２１Ｃが固定部材１２３Ｂ、１２３Ｃによって第１のブラケット１２１Ｂの結合側部区域１２１１Ｂ及び取付け側部区域１２２１Ｂと結合されているか否かについて選択できる。
【００４１】
上記の説明から、本発明は以下の利点を有することが注目される。
【００４２】
１．スリーブＳの固定可能な位置決め及び回転機能
基部２１１又は位置決めボタン２１２Ａ、２１２Ｃの断面は円形であり、そのためスリーブＳは回転できる。突出部２１２３及びフランジ２１２５Ａ、２１２５ＣはスリーブＳを固定可能に位置決めできる。したがって、本発明にしたがうスリーブブラケットアッセンブリはスリーブＳを堅固に位置決めでき、かつスリーブＳを回転自在とすることができる。
【００４３】
２．費用軽減
本発明にしたがうスリーブブラケットアッセンブリは同時に異なる数組のスリーブＳを展示することができ、追加のスリーブブラケットアッセンブリは不要である。したがって、ユーザは新たなスリーブブラケットアッセンブリを購入することは不要であって１つのスリーブブラケットアッセンブリを持ち運ぶことから便利である。
【００４４】
３．優れた汎用性
第３及び第４の実施例において、ユーザは、第２のブラケット１２２Ｂの取付け側部区域１２２１Ｂ、１２２１Ｃが固定部材１２３Ｂ、１２３Ｃによって第１のブラケット１２１Ｂの結合側部区域１２１１Ｂ及び取付け側部区域１２２１Ｂと結合されているか否かについて選択できる。したがって、スリーブブラケットアッセンブリの様式はユーザの必要性に応じて変更でき、このことは汎用性があって便利である。
【産業上の利用可能性】
【００４５】
本発明のスリーブブラケットアッセンブリによれば、スリーブを堅固に位置決めでき、かつ回転自在とすることができ、１つのスリーブブラケットアッセンブリを持ち運ぶだけでよく、またスリーブブラケットアッセンブリの様式はユーザの必要性に応じて変更でき、汎用性があって便利であって、工具等の展示ホルダーとして有用である。
【符号の説明】
【００４６】
１０、１０Ｂ・・・フレーム
１１、１１Ｂ・・・バックプレート
１２、１２Ｂ・・・ブラケットユニット
１２１Ｂ・・・第１のブラケット
１２２Ｂ・・・第２のブラケット
１３、１３Ｂ・・・第１のスリーブトラック
１４Ｂ・・・第２のスリーブトラック
１５Ｂ・・・第３のスリーブトラック
１１１・・・マウント（取付け）穴
１３１・・・頂部表面
１３２・・・バー
１３３、１３３Ａ・・・溝
２０、２０Ｂ・・・第１のマウント（取付け）装置
３０Ｂ・・・第２のマウント（取付け）装置
４０Ｂ・・・第３のマウント（取付け）装置
２１、２１Ａ・・・第１のスリーブマウント
２１１、２１１Ａ、２１１Ｃ・・・基部
２１２、２１２Ａ、２１２Ｂ、２１２Ｃ、３１２Ｂ、４１２Ｂ・・・位置決めボタン
２１２１、２１２４Ａ、２１２４Ｃ・・・開孔
２１２２・・・弾性区域
２１２３・・・突出部
２１２５Ａ、２１２５Ｃ・・・フランジ
１２３Ｂ、１２３Ｃ・・・固定部材
１２１１Ｂ、１２１１Ｃ・・・結合側部区域
１２２１Ｂ、１２２１Ｃ・・・取付け側部区域
Ｓ・・・スリーブ
【図１】
2014083634.tif 000003
【図２】
2014083634.tif 000004
【図３】
2014083634.tif 000005
【図４】
2014083634.tif 000006
【図５】
2014083634.tif 000007
【図６】
2014083634.tif 000008
【図７】
2014083634.tif 000009
【図８】
2014083634.tif 000010
【図９】
2014083634.tif 000011
【図１０】
2014083634.tif 000012
【図１１】
2014083634.tif 000013
【図１２】
2014083634.tif 000014
【図１３】
2014083634.tif 000015
【図１４】
2014083634.tif 000016
【図１５】
2014083634.tif 000017